(57)【要約】【課題】  ユーザによって装置が使用されていない時であっても、電話帳データ等の自動的なバックアップが可能な携帯電話装置を提供する。【解決手段】  ユーザがメモリバックアップ装置に対してバックアップの開始通知を行う従来方法に代わり、携帯電話装置１から、外部装置の携帯電話装置用メモリバックアップ装置１０（別図）に対して、バックアップ動作の開始信号、バックアップ動作を制御するための電気信号、及び記憶部２に格納されているバックアップデータ（電話帳、暗証番号）を送信し、携帯電話装置用メモリバックアップ装置１０が備える記憶装置に格納させることで、バックアップ処理する。【選択図】図１
2006352462.tif 000002
【特許請求の範囲】
【請求項１】
外部接続しているバックアップ装置に情報をバックアップあるいは該バックアップ装置から情報を復旧させることが可能な携帯電話装置において、
前記情報を記憶する記憶手段と、
現在時刻と予め設定された時刻とが一致するかを確認するタイマー手段と、
前記バックアップ装置との間で通信を行う通信手段と、
前記タイマー手段により時刻一致が確認された場合、前記設定時刻に行うバックアップあるいは復旧の処理モードに基づいて、前記メモリバックアップ装置と前記記憶手段との間で前記通信手段を介して情報を読み出して書き込む制御手段と、
を備えたことを特徴とする携帯電話装置。
【請求項２】
バックアップあるいは復旧の時刻と、該時刻に行うバックアップあるいは復旧の処理モードとを設定した設定情報を記憶する設定情報記憶手段を備え、
前記タイマー手段及び前記制御手段は、前記設定情報記憶手段に記憶された設定情報に基づいて処理を行うことを特徴とする請求項１記載の携帯電話装置。
【請求項３】
前記設定情報記憶手段には、複数の時刻、日時、及び曜日が設定登録できることを特徴とする請求項２記載の携帯電話装置。
【発明の詳細な説明】
【技術分野】
【０００１】
本発明は、外部接続しているバックアップ装置に情報をバックアップあるいは該バックアップ装置から情報を復旧させることが可能な携帯電話装置に関する。
【背景技術】
【０００２】
近年、携帯電話装置の高性能化が進み、携帯電話装置の内部メモリには、通話相手の氏名・電話番号・メールアドレスなどのデータ（以下、「電話帳データ」と呼称する）を、互いに関連付けて記憶しておくための電話帳機能が装備されている。このため、ユーザは、携帯電話装置の紛失や故障の際に備え、何らかの手段により、この電話帳データを保存（バックアップ）しておく必要がある。
【０００３】
例えば、特許文献１（特開２０００−６９１４４号公報）には、携帯電話装置用の携帯型メモリバックアップ装置を用いて個人の電話帳データを保存しておく技術が開示されている。
【特許文献１】特開２０００−６９１４４号公報
【発明の開示】
【発明が解決しようとする課題】
【０００４】
しかしながら、上記背景技術で述べた従来の携帯電話装置及び携帯電話装置用メモリバックアップ装置の制御方法にあっては、例えば、前述の特許文献１で開示された技術（即ち、メモリバックアップ装置を用いて個人の電話帳データを保存しておく技術）の場合、ユーザは、バックアップの開始時に、携帯電話装置に対してバックアップ開始通知を行う（特定のスイッチを押下する）ことが必要となるため、ユーザが携帯電話装置を使用していない時（例えば、就寝中の場合など）には、自動バックアップが出来ないという問題点がある。
【０００５】
近年の電話帳は、携帯電話装置の高機能化に伴いデータ量が増加しており、またユーザによっては、日々電話帳データが更新されているため、定期的なバックアップが必要であり、ユーザーにとって、携帯電話装置を使用していない場合であっても、電話帳データの自動バックアップ機能は不可欠の重要機能である。
【０００６】
本発明は、上記従来の問題点に鑑みてなされたものであって、ユーザによって装置が使用されていない時であっても、電話帳データ等の自動的なバックアップが可能な携帯電話装置を提供することを目的としている。
【課題を解決するための手段】
【０００７】
本発明は、外部接続しているバックアップ装置に情報をバックアップあるいは該バックアップ装置から情報を復旧させることが可能な携帯電話装置において、前記情報を記憶する記憶手段と、現在時刻と予め設定された時刻とが一致するかを確認するタイマー手段と、前記バックアップ装置との間で通信を行う通信手段と、前記タイマー手段により時刻一致が確認された場合、前記設定時刻に行うバックアップあるいは復旧の処理モードに基づいて、前記メモリバックアップ装置と前記記憶手段との間で前記通信手段を介して情報を読み出して書き込む制御手段と、を備えたことを特徴とする携帯電話装置である。
【０００８】
また、本発明は、バックアップあるいは復旧の時刻と、該時刻に行うバックアップあるいは復旧の処理モードとを設定した設定情報を記憶する設定情報記憶手段を備え、前記タイマー手段及び前記制御手段は、前記設定情報記憶手段に記憶された設定情報に基づいて処理を行うことを特徴とする。
【０００９】
また、本発明は、前記設定情報記憶手段には、複数の時刻、日時、及び曜日が設定登録できることを特徴とする。
【発明の効果】
【００１０】
以上説明したように、本発明の携帯電話装置によれば、携帯電話装置をユーザが直接操作しなくても自動的に情報のバックアップ処理がなされるので、ユーザーが携帯電話装置を使用しないような時間帯（例えば、就寝中）であっても自動的にメモリのバックアップを行うことができる効果があり、ユーザの利便性が向上する。
【００１１】
また、携帯電話装置の記憶内容を、複数の時刻、日時、及び曜日単位で保護できるので、ユーザは、細かなスケジューリング設定が可能となり、ユーザの利便性を向上させる効果がある。
【発明を実施するための最良の形態】
【００１２】
以下、本発明の実施の形態を添付図面を参照して説明する。
【００１３】
図１は、本発明の実施形態に係る携帯電話装置の全体構成を示す構成図である。
同図において、本実施形態の携帯電話装置１は、バックアップすべき情報及びバックアップ処理に必要な設定情報を記憶する記憶部２と、携帯電話装置用メモリバックアップ装置を制御するための制御部３と、バックアップすべき情報及びバックアップ処理のための制御信号を入出力するシリアル入出力部４と、メニュー、メッセージ、及びデータ等を表示するための表示装置５と、メニュー等の選択情報、データ、及びコマンドを入力するためのユーザ入出力部６と、を備えて構成される。
【００１４】
記憶部２は、バックアップ時刻記憶部２ａと、復旧時刻記憶部２ｂと、電話帳記憶部２ｃと、暗証番号記憶部２ｄとからなる。バックアップ時刻記憶部２ａと復旧時刻記憶部２ｂは、バックアップ処理に必要な設定情報を記憶する設定情報記憶部２１であり、電話帳記憶部２ｃと暗証番号記憶部２ｄは、バックアップすべき情報を記憶するバックアップ情報記憶部２２である。制御部３は、設定された処理時刻であるかを確認するタイマー制御部３ａと、バックアップ等の処理を行うシリアル制御部３ｂとからなる。
【００１５】
詳しくは後述するが、ユーザは、表示装置５に設定項目を表示させ、ユーザ入力部６を用いて、バックアップ処理あるいは復旧処理の時刻設定を行う。これらの設定情報は、設定情報記憶部２１であるバックアップ時刻記憶部２ａと復旧時刻記憶部２ｂに記憶される。こうしてバックアップ処理モードあるいは復旧処理モードと対応づけて、処理時刻が記憶される。
【００１６】
図２は、本発明の実施形態に係る携帯電話装置に接続される携帯電話装置用メモリバックアップ装置の全体構成を示す構成図である。
図２に示す携帯電話装置用メモリバックアップ装置１０は、装置全体の回路要素を制御すると共にバックアップ処理の制御を行うＣＰＵ１１と、ＣＰＵ１１を制御するためのプログラム（バックアップ処理用プログラムを含む）や、データを格納するＲＯＭ１２と、ＣＰＵ１１用のワーキングメモリであるＲＡＭ１３と、入出力用のバッファメモリであるフラッシュメモリ１４（ＦＲＡＭ）と、バックアップすべき情報及びバックアップ処理のための制御信号を入出力するシリアル入出力部１５と、入出力用ポートである接続用コネクタ１６と、を備える。
図２は、また、携帯電話装置１と携帯電話装置用メモリバックアップ装置１０とが互いに通信可能に接続されたシステム構成を示すものである。
【００１７】
なお、本発明の実施形態に係る携帯電話装置に接続される携帯電話装置用メモリバックアップ装置としては、図２に示された携帯電話装置用メモリバックアップ装置１０（特許文献１に開示された装置）に限定されるものではない。また、既成の携帯電話装置用メモリバックアップ装置を使用することが可能である。
【００１８】
以下、図１，２を参照しながら、本実施形態の携帯電話装置のバックアップ処理時の動作について説明し、併せて、携帯電話装置用メモリバックアップ装置１０のバックアップ処理時の動作も説明する。
【００１９】
制御部３（図１）のタイマー制御部３ａは、一定期間毎に、現在時刻と、記憶部２のバックアップ時刻記憶部３ａに記憶された時刻とを比較する。両者が異なっている場合には何もしない。また、両者が一致する場合は、制御部３のシリアル制御部３ｂは、シリアル入出力部４を介して、携帯電話装置用メモリバックアップ装置１０（図２）に、バックアップモード確認信号を送信する。
【００２０】
このバックアップモード確認信号は、接続用コネクタ１６（図２）と、シリアル入出力部１５（図２）とを介し、ＣＰＵ１１（図２）に入力される。バックアップモード確認信号を入力したＣＰＵ１１は、ＩＯ入出力部１７を介して青ＬＥＤ１８（青色発光ダイオード）を点灯し、携帯電話装置用メモリバックアップ装置１０の電源電池（図示は省略）の容量を確認する。
【００２１】
この電源電池の容量が十分であることが確認された場合、ＣＰＵ１１は、ＩＯ入出力部１７を介して青ＬＥＤ１８を点滅させると共に、シリアル入出力部１５と、接続用コネクタ１６とを介してバックアップモード確認ＯＫ信号（バックアップ処理が可能であることを意味する信号）を携帯電話装置１へ送信する。
【００２２】
前記電源電池に十分な容量が無い場合、ＣＰＵ１１は、ＩＯ入出力部１７を介して青ＬＥＤ１８を消灯し、シリアル入出力部１５、接続用コネクタ１６を介してバックアップモード確認ＮＧ信号（バックアップ処理が不可能であることを意味する信号）を携帯電話装置１（図１）へ送出する。
シリアル入出力部４を介してバックアップモード確認ＮＧ信号を受信した制御部３は、携帯電話装置用メモリバックアップ装置１０側におけるバックアップ処理が不可能な状態であることを認識し、バックアップ動作を終了する。
【００２３】
一方、シリアル入出力部４を介してバックアップモード確認ＯＫ信号を受信した制御部３は、携帯電話装置用メモリバックアップ装置１０側においてバックアップ処理が可能な状態であることを認識し、シリアル入出力部４を介してバックアップモード開始通知信号を送出する（このバックアップモード開始通知信号は、前述の特許文献１に開示された携帯電話装置において、スイッチ１１が３秒間以内押下された状態を示す信号と同等である）。
【００２４】
このバックアップモード開始通知信号は、接続用コネクタ１６（図２）と、シリアル入出力部１５（図２）とを介し、ＣＰＵ１１（図２）に入力される。バックアップモード開始通知信号を入力したＣＰＵ１１は、ＩＯ入出力部１７を介して青ＬＥＤ１８を点灯し、バックアップ処理用プログラムをＲＯＭ１２からＲＡＭ１３へ読み出した後、フラッシュメモリ１４（ＦＲＡＭ）を書き込み可能状態にする。
【００２５】
フラッシュメモリ１４が何らかの原因で書き込み可能状態にならない場合は、ＣＰＵ１１は、シリアル入出力部１５と、接続用コネクタ１６とを介してバックアップモード終了通知信号を携帯電話装置１へ送出する（このバックアップモード開始通知信号は、前述の特許文献１に開示された携帯電話装置において、赤ＬＥＤ１３が消灯した後、スイッチ１１が３秒間以上押下された状態を示す信号と同等である）。バックアップモード終了通知信号を送出したＣＰＵ１１（図２）は、ＩＯ入出力部１７を介して青ＬＥＤ１８を消灯する。
一方、シリアル入出力部４を介してバックアップモード終了通知信号を入力した制御部３（図１）は、バックアップ動作を終了する。
【００２６】
フラッシュメモリ１４が書き込み可能状態になった場合は、ＣＰＵ１１は、ＩＯ入出力部１７を介して赤ＬＥＤ１９を点灯し、バックアップ読出し開始通知信号を、シリアル入出力部１５と、接続用コネクタ１６とを介して携帯電話装置１へ送出する。
シリアル入出力部４（図１）を介してバックアップ読出し開始通知信号を受信した制御部３は、暗証番号記憶部２ｄの暗証番号データ及び電話帳記憶部２ｃの電話帳データを、シリアル入出力部４を介して携帯電話装置用メモリバックアップ装置１０（図２）に送信する。
【００２７】
これらのデータを受信した携帯電話装置用メモリバックアップ装置１０側では、ＣＰＵ１１が、接続用コネクタ１６と、シリアル入出力部１５とを介して前記データを入力した後、この入力したデータを、フラッシュメモリ１４へ、随時書き込んでいく。
携帯電話装置１側において、電話帳記憶部２ｃのデータを全て送信し終えた場合、制御部３のシリアル制御部２ｂは、シリアル入出力部４を介してバックアップ読出し終了通知信号を携帯電話装置用メモリバックアップ装置１０（図２）へ送信する。
【００２８】
このバックアップ読出し終了通知信号は、接続用コネクタ１６と、シリアル入出力部１５とを介して、ＣＰＵ１１に入力される。
バックアップ読出し終了通知信号を受信したＣＰＵ１１は、ＩＯ入出力部１７を介して赤ＬＥＤ１９を消灯すると共に、フラッシュメモリ１４を書き込み終了状態にし、シリアル入出力部１５と、接続用コネクタ１６とを介してバックアップモード終了通知信号を携帯電話装置１へ送信した後、ＩＯ入出力部１７を介して青ＬＥＤ１８を消灯する。
シリアル入出力部４を介して前記バックアップモード終了通知信号を受信した制御部３（図１）は、バックアップ動作を終了する。
【００２９】
以下、図１、２を参照しながら、携帯電話装置用メモリバックアップ装置１０からの復旧動作について説明する。
【００３０】
制御部３のタイマー制御部３ａ（図１）は、一定期間毎に、現在時刻と、記憶部２の復旧時刻記憶部２ｂに記憶された時刻とを比較する。両者が異なっている場合には何もしない。また、両者が一致した場合には制御部３のシリアル制御部２ｂが、シリアル入出力部４を介して携帯電話装置用メモリバックアップ装置１０（図２）に復旧モード確認信号を送信する。
【００３１】
ＣＰＵ１１（図２）は、接続用コネクタ１６と、シリアル入出力部１５とを介して、この復旧モード確認信号を入力した後、ＩＯ入出力部１７を介して青ＬＥＤ１８を点灯し、電源電池の容量を確認する。電源電池に十分な容量が有る場合、ＣＰＵ１１は、ＩＯ入出力部１７を介して青ＬＥＤ１８を点滅させ、シリアル入出力部１５と、接続用コネクタ１６とを介して復旧モード確認ＯＫ信号（復旧モードの実行が可能であることを示す信号）を携帯電話装置１へ送信する。
【００３２】
電源電池に十分な容量が無い場合、ＣＰＵ１１は、ＩＯ入出力部１７を介して青ＬＥＤ１８を消灯し、シリアル入出力部１５と、接続用コネクタ１６とを介して復旧モード確認ＮＧ信号（復旧モードの実行が不可能であることを示す信号）を携帯電話装置１へ送信する。
シリアル入出力部４を介して復旧モード確認ＮＧ信号を受信した制御部３は、携帯電話装置用メモリバックアップ装置１０側において復旧モードの実行が不可能な状態であると認識し、復旧動作を終了する。
【００３３】
一方、シリアル入出力部４を介して復旧モード確認ＯＫ信号を受信した制御部３は、シリアル入出力部４を介して復旧モード開始通知信号を携帯電話装置用メモリバックアップ装置１０へ送出する（この復旧モード開始通知信号は、前述の特許文献１に開示された携帯電話装置においてスイッチ１１が３秒間以上、かつ２０秒間以内押下された状態を示す信号と同等である）。
【００３４】
この復旧モード開始通知信号は、接続用コネクタ１６と、シリアル入出力部１５とを介してＣＰＵ１１（図２）に入力される。復旧モード開始通知信号を入力したＣＰＵ１１は、ＩＯ入出力部１７を介して青ＬＥＤ１８を点灯すると共に、復旧処理用プログラムを、ＲＯＭ１２からＲＡＭ１１へ読み出した後、暗証番号要求信号を、シリアル入出力部１５と、接続用コネクタ１６とを介して携帯電話装置１に送信する。
【００３５】
シリアル入出力部４を介して前記暗証番号要求信号を受信した制御部３のシリアル制御部２ｂは、暗証番号記憶部２ｄの暗証番号データを、シリアル入出力部４を介して携帯電話装置用メモリバックアップ装置１０に送信する。
また、制御部３のシリアル制御部２ｂは、暗証番号記憶部２ｄの暗証番号データの送信を完了した後、シリアル入出力部４を介して暗証番号通知信号を携帯電話装置用メモリバックアップ装置１０へ送信する。
【００３６】
この暗証番号通知信号は、接続用コネクタ１６と、シリアル入出力部１５とを介してＣＰＵ１１に入力される。暗証番号通知信号を受信したＣＰＵ１１は、送信された暗証番号と、フラッシュメモリ１４に格納されている暗証番号とを比較する。両者の暗証番号が一致しない場合、ＣＰＵ１１は、シリアル入出力部１５と、接続用コネクタ１６とを介して暗証番号通知ＮＧ信号を携帯電話装置１へ送出する。
【００３７】
暗証番号通知ＮＧ信号を受信した制御部３のシリアル制御部２ｂは、シリアル入出力部４を介して復旧モード終了通知信号を携帯電話装置用メモリバックアップ装置１０へ送信する（この復旧モード終了通知信号は、前述の特許文献１に開示された携帯電話装置において、赤ＬＥＤ１３が消灯した後、スイッチ１１が３秒間以上押下された状態を示す信号と同等である）。
【００３８】
接続用コネクタ１６と、シリアル入出力部１５とを介して復旧モード終了通知信号を受信したＣＰＵ１１は、ＩＯ入出力部１７を介して青ＬＥＤ１８を消灯し、復旧動作を終了する。前述の比較において、両者の暗証番号が一致した場合、ＣＰＵ１１は、シリアル入出力部１５と、接続用コネクタ１６とを介して暗証番号通知ＯＫ信号を携帯電話装置１へ送出する。
【００３９】
この暗証番号通知ＯＫ信号をシリアル入出力部４を介して受信した制御部３は、記憶部２の電話帳記憶部２ｃを書き込み可能状態にする。電話帳記憶部２ｃが何らかの原因で書き込み可能状態にならない場合は、制御部３のシリアル制御部２ｂは、シリアル入出力部４を介して復旧モード終了通知信号を携帯電話装置用メモリバックアップ装置１０に送信する。この復旧モード終了通知信号を受信したＣＰＵ１１は、青ＬＥＤ１８を消灯し、復旧動作を終了する。
【００４０】
電話帳記憶部２ｃが書き込み可能状態になった場合は、制御部３のシリアル制御部２ｂが、シリアル入出力部４を介して復旧書き込み開始通知信号を携帯電話装置用メモリバックアップ装置１０に送信する。
【００４１】
ＣＰＵ１１は、この復旧書き込み開始通知信号を、接続用コネクタ１６と、シリアル入出力部１５とを介して入力した後、ＩＯ入出力部１７を介して赤ＬＥＤ１９を点灯し、シリアル入出力部１５と、接続用コネクタ１６とを介して、フラッシュメモリ１４のバックアップデータを携帯電話装置１へ送信する。
携帯電話装置１の制御部３は、シリアル入出力部４を介して受信したデータを、随時、記憶部２の電話帳記憶部２ｃへ書き込んでいく。
ＣＰＵ１１は、バックアップデータを全て送信し終えたら、ＩＯ入出力部１７を介して赤ＬＥＤ１９を消灯し、シリアル入出力部１５と、接続用コネクタ１６とを介して、復旧書き込み開始通知信号を携帯電話装置１へ送出する。
【００４２】
シリアル入出力部４を介して復旧書き込み開始通知信号を受信した制御部３は、電話帳記憶部２ｃを書き込み終了状態にし、シリアル入出力部４を介して復旧モード終了通知信号を携帯電話装置用メモリバックアップ装置１０へ送出する。
ＣＰＵ１１は、接続用コネクタ１６と、シリアル入出力部１５とを介して、この復旧モード終了通知信号を入力した後、青ＬＥＤ１８を消灯し、復旧動作を終了する。
【００４３】
図３は、バックアップ処理の際に表示される時刻設定が可能なバックアップ設定メニュー画面の１例を示す説明図であり、図３（ａ）はバックアップ設定メニュー画面を示し、図３（ｂ）は復旧設定メニュー画面を示す。図４は、バックアップ処理の際に表示される時刻設定及びモード設定が可能なバックアップ設定メニュー画面の１例を示す説明図であり、図３（ａ）はバックアップ設定メニュー画面を示し、図３（ｂ）は復旧設定メニュー画面を示す。
【００４４】
以下、図１，３，４を参照しながら、ユーザが任意の時刻・モードを設定する場合の動作について説明する。
【００４５】
ユーザは、ユーザ入力部６を介して、表示装置５に表示されるメニュー画面（図３，４）から、バックアップ設定メニューを選択する。図３に示すメニュー画面では時刻設定が可能である。また、図４に示すメニュー画面では、時刻に加えてモード選択も可能である。
ユーザは、ユーザ入力部６を介して、これらメニュー画面上で、時刻の設定や、モードの変更を行うことが出来る。ユーザにより設定された時刻は、各モードに応じて記憶部２のバックアップ時刻記憶部２ａ、若しくは復旧時刻記憶部２ｂに保存される。
【００４６】
図５は、バックアップ処理の際に表示される時刻設定が可能なバックアップ設定メニュー画面を使用したメニュー選択を行う場合の１例を示す説明図であり、図５（ａ）はバックアップ設定メニュー画面を示し、図５（ｂ）は復旧設定メニュー画面を示す。図６は、バックアップ処理の際に表示される時刻設定とモード設定とが可能なバックアップ設定メニュー画面を使用してメニュー選択を行う場合の１例を示す説明図であり、図６（ａ）はバックアップ設定メニュー画面を示し、図６（ｂ）は復旧設定メニュー画面を示す。
【００４７】
以下、図１、及び図５，６を参照しながら、ユーザが複数の時刻・モードを設定する場合の動作について説明する。
ユーザはユーザ入力部６を介して、表示装置５に表示されるメニュー画面（図５，６）からバックアップ設定メニューを選択する。
図５は、バックアップ設定メニューにおいて設定の一覧表示を行う画面であり、具体的には、曜日で指定した一覧（図５（ａ））や、日付で指定した一覧（図５（ｂ））が示されている。この各メニュー画面中の記載内容の「Ｂ」はバックアップモード、同じく「Ｒ」は復旧モードを、それぞれ示しているアイコンを意味する。
一方、図６は個別の設定メニュー画面である。曜日で指定するメニュー画面（図６（ａ））や、日付で指定するメニュー画面（図６（ｂ））が示されている。
【００４８】
前述の図４に示すメニュー画面と比べ、図６（ａ）に示すメニュー画面は曜日を、図６（ｂ）に示すメニュー画面では日時を、それぞれ設定できるようになっている。ユーザは、ユーザ入力部６を介して、これらメニュー画面上の日時や曜日の設定、時刻の設定、及びモードの変更を行うことが出来る。ユーザにより設定された時刻は、各モードに応じて記憶部２のバックアップ時刻記憶部２ａ、若しくは復旧時刻記憶部２ｂに保存される。
【図面の簡単な説明】
【００４９】
【図１】本発明の実施形態に係る携帯電話装置の全体構成を示す構成図である。
【図２】本発明の実施形態に係る携帯電話装置に接続される携帯電話装置用メモリバックアップ装置の全体構成を示す構成図である。
【図３】バックアップ処理の際に表示される時刻設定が可能なバックアップ設定メニュー画面の１例を示す説明図であり、図３（ａ）はバックアップ設定メニュー画面を示し、図３（ｂ）は復旧設定メニュー画面を示す。
【図４】バックアップ処理の際に表示される時刻設定及びモード設定が可能なバックアップ設定メニュー画面の１例を示す説明図であり、図３（ａ）はバックアップ設定メニュー画面を示し、図３（ｂ）は復旧設定メニュー画面を示す。
【図５】バックアップ処理の際に表示される時刻設定が可能なバックアップ設定メニュー画面を使用したメニュー選択を行う場合の１例を示す説明図であり、図５（ａ）はバックアップ設定メニュー画面を示し、図５（ｂ）は復旧設定メニュー画面を示す。
【図６】バックアップ処理の際に表示される時刻設定とモード設定とが可能なバックアップ設定メニュー画面を使用してメニュー選択を行う場合の１例を示す説明図であり、図６（ａ）はバックアップ設定メニュー画面を示し、図６（ｂ）は復旧設定メニュー画面を示す。
【符号の説明】
【００５０】
１  携帯電話装置（本発明に係る装置）
２  記憶部
２ａ  バックアップ時刻記憶部
２ｂ  復旧時刻記憶部
２ｃ  電話帳記憶部
２ｄ  暗証番号記憶部
３  制御部
３ａ  タイマー制御部
３ｂ  シリアル制御部
４  シリアル入出力部
５  表示装置
６  ユーザ入力部
１０  携帯電話装置用メモリバックアップ装置
１１  ＣＰＵ
１２  ＲＯＭ
１３  ＲＡＭ
１４  フラッシュメモリ
１５  シリアル入出力部
１６  接続用コネクタ
１７  ＩＯ入出力部
１８  青ＬＥＤ
１９  赤ＬＥＤ
２１  設定情報記憶部
２２  バックアップ情報記憶部
【図１】
2006352462.tif 000003
【図２】
2006352462.tif 000004
【図３】
2006352462.tif 000005
【図４】
2006352462.tif 000006
【図５】
2006352462.tif 000007
【図６】
2006352462.tif 000008